(57)【要約】【課題】まつげをより綺麗にカールさせることができるまつげカーラーを提供する。【解決手段】本発明のまつげカーラー１００は、円弧状に湾曲した帯状のまつげ挟持プレート１１３と、まつげ挟持プレートに対向して配設されたまつげ挟持用弾性体１２５（シリコーンゴム等からなる。）と、まつげ挟持用弾性体を保持する弾性体保持部１２４と、を備え、まつげ挟持プレートの少なくとも瞼に当接される側に、滑り防止用の突部２４１（帯状体）を有する滑り抑制部材２（ウレタンゴム等からなる。）が配設されていることを特徴とする。【選択図】図１
2007300971.tif 000002
【特許請求の範囲】
【請求項１】
円弧状に湾曲した帯状のまつげ挟持プレートと、該まつげ挟持プレートに対向して配設されたまつげ挟持用弾性体と、該まつげ挟持用弾性体を保持する弾性体保持部と、を備えるまつげカーラーであって、
上記まつげ挟持プレートの瞼に当接される側に、滑り防止用の突部を有する滑り抑制部材が配設されていることを特徴とするまつげカーラー。
【請求項２】
上記突部が、上記まつげ挟持プレートの長手方向に延びる形態で設けられた帯状体である請求項１に記載のまつげカーラー。
【請求項３】
上記帯状体の突出方向が、上記滑り抑制部材の平坦面に対して斜めであり、且つ上記まつげカーラーの使用状態における上向きである請求項２に記載のまつげカーラー。
【請求項４】
上記突部が、上記まつげ挟持プレートの長手方向に点設された突状体である請求項１に記載のまつげカーラー。
【請求項５】
上記突状体の突出方向が、上記滑り抑制部材の平坦面に対して斜めであり、且つ上記まつげカーラーの使用状態における上向きである請求項４に記載のまつげカーラー。
【請求項６】
円弧状に湾曲した帯状のまつげ挟持プレートと、該まつげ挟持プレートに対向して配設されたまつげ挟持用弾性体と、該まつげ挟持用弾性体を保持する弾性体保持部と、を備えるまつげカーラーであって、
上記まつげ挟持プレートの長手方向の中央部は、該長手方向の両端部より幅広であるとともに、該中央部の上方側が膨らむ形態であり、該中央部の幅（Ｗ１）と該両端部の幅（Ｗ２）との比（Ｗ１／Ｗ２）が１．３〜２．０であることを特徴とするまつげカーラー。
【請求項７】
上記まつげ挟持プレートの瞼に当接される側に、滑り抑制部材が配設された請求項６に記載のまつげカーラー。
【請求項８】
上記滑り抑制部材が滑り防止用の突部を有する請求項７に記載のまつげカーラー。
【請求項９】
上記突部が、上記まつげ挟持プレートの長手方向に延びる形態で設けられた帯状体である請求項８に記載のまつげカーラー。
【請求項１０】
上記帯状体の突出方向が、上記滑り抑制部材の平坦面に対して斜めであり、且つ上記まつげカーラーの使用状態における上向きである請求項９に記載のまつげカーラー。
【請求項１１】
上記突部が、上記まつげ挟持プレートの長手方向に点設された突状体である請求項８に記載のまつげカーラー。
【請求項１２】
上記突状体の突出方向が、上記滑り抑制部材の平坦面に対して斜めであり、且つ上記まつげカーラーの使用状態における上向きである請求項１１に記載のまつげカーラー。
【発明の詳細な説明】
【技術分野】
【０００１】
本発明は、まつげをカールさせるためのまつげカーラーに関する。更に詳しくは、瞼を十分に押し上げることで、まつげをより前方に押し出すことができ、まつげを生え際から綺麗にカールさせることができるまつげカーラーに関する。
【背景技術】
【０００２】
まつげを対向する一組の挟持部材によって挟持し、カールさせるまつげカーラーは知られている。例えば、薄板状のヘラと、少なくともこのヘラと向き合う側の面が弾性材料から構成された受け台と、このヘラ及び受け台を保持するとともに、開閉操作によって、ヘラと受け台とを近接・離間させることができるよう構成されたカーラー本体部とを具備してなるまつげカーラーであって、少なくともヘラが、ステンレスから構成されているまつげカーラーが知られている（例えば、特許文献１参照。）。
【０００３】
【特許文献１】特開２００４−２３６７３５号公報
【発明の開示】
【発明が解決しようとする課題】
【０００４】
しかし、特許文献１に記載されたまつげカーラー等の従来のまつげカーラーでは、まつげを挟持する部材のうちの一方の部材であって、瞼に当接され、瞼を上方に押し上げる部材が、瞼との間で滑ってしまう等の理由で、まつげを前方に十分に押し出すことができないことがあった。この場合、まつげをより生え際からカールさせることが容易ではなく、まつげを綺麗にカールさせることができないことがあり、問題となっていた。
【０００５】
本発明は上記の従来の状況に鑑みてなされたものであり、瞼を十分に押し上げることで、まつげをより前方に押し出すことができ、まつげを生え際から綺麗にカールさせることができるまつげカーラーを提供することを課題とする。
【課題を解決するための手段】
【０００６】
本発明は以下のとおりである。
１．円弧状に湾曲した帯状のまつげ挟持プレートと、該まつげ挟持プレートに対向して配設されたまつげ挟持用弾性体と、該まつげ挟持用弾性体を保持する弾性体保持部と、を備えるまつげカーラーであって、上記まつげ挟持プレートの瞼に当接される側に、滑り防止用の突部を有する滑り抑制部材が配設されていることを特徴とするまつげカーラー。
２．上記突部が、上記まつげ挟持プレートの長手方向に延びる形態で設けられた帯状体である上記１．に記載のまつげカーラー。
３．上記帯状体の突出方向が、上記滑り抑制部材の平坦面に対して斜めであり、且つ上記まつげカーラーの使用状態における上向きである上記２．に記載のまつげカーラー。
４．上記突部が、上記まつげ挟持プレートの長手方向に点設された突状体である上記１．に記載のまつげカーラー。
５．上記突状体の突出方向が、上記滑り抑制部材の平坦面に対して斜めであり、且つ上記まつげカーラーの使用状態における上向きである上記４．に記載のまつげカーラー。
６．円弧状に湾曲した帯状のまつげ挟持プレートと、該まつげ挟持プレートに対向して配設されたまつげ挟持用弾性体と、該まつげ挟持用弾性体を保持する弾性体保持部と、を備えるまつげカーラーであって、上記まつげ挟持プレートの長手方向の中央部は、該長手方向の両端部より幅広であるとともに、該中央部の上方側が膨らむ形態であり、該中央部の幅（Ｗ１）と該両端部の幅（Ｗ２）との比（Ｗ１／Ｗ２）が１．３〜２．０であることを特徴とするまつげカーラー。
７．上記まつげ挟持プレートの瞼に当接される側に、滑り抑制部材が配設された上記６．に記載のまつげカーラー。
８．上記滑り抑制部材が滑り防止用の突部を有する上記７．に記載のまつげカーラー。
９．上記突部が、上記まつげ挟持プレートの長手方向に延びる形態で設けられた帯状体である上記８．に記載のまつげカーラー。
１０．上記帯状体の突出方向が、上記滑り抑制部材の平坦面に対して斜めであり、且つ上記まつげカーラーの使用状態における上向きである上記９．に記載のまつげカーラー。
１１．上記突部が、上記まつげ挟持プレートの長手方向に点設された突状体である上記８．に記載のまつげカーラー。
１２．上記突状体の突出方向が、上記滑り抑制部材の平坦面に対して斜めであり、且つ上記まつげカーラーの使用状態における上向きである上記１１．に記載のまつげカーラー。
【発明の効果】
【０００７】
<請求項１の発明>
本発明のまつげカーラーによれば、まつげ挟持プレートに滑り防止用の突部を有する滑り抑制部材が配設され、この滑り抑制部材により、瞼が滑ることなく、上方に十分に押し上げられるため、まつげがより前方に押し出され、まつげを生え際から綺麗にカールさせることができる。
<請求項２、４の発明>
突部が、まつげ挟持プレートの長手方向に延びる形態で設けられた帯状体、又は長手方向に点設された突状体である場合は、突部が瞼全体に当たり、この帯状体又は突状体により瞼を上方に容易に、且つ確実に押し上げることができるため、まつげをより綺麗にカールさせることができる。
<請求項３、５の発明>
帯状体、又は突状体の突出方向は、滑り抑制部材の平坦面に対して斜めであり、且つまつげカーラーの使用状態における上向きであることが好ましい。仮に斜め方向であっても下向きであるときは、帯状体等が瞼に対して滑ってしまうことがある。突出方向が斜め方向であり、且つ上向きである場合は、この帯状体又は突状体によって瞼をより上方に容易に、且つ確実に押し上げることができるため、まつげが前方により押し出され、まつげを生え際から綺麗にカールさせることができる。
【０００８】
<請求項６の発明>
他の本発明のまつげカーラーによれば、まつげ挟持プレートの中央部が幅広であるとともに、この中央部の上方側が膨らむ形態であり、中央部の幅（Ｗ１）と両端部の幅（Ｗ２）との比（Ｗ１／Ｗ２）が１．３〜２．０であるため、この上方側に膨らんだ中央部によって瞼が上方に十分に押し上げられ、まつげがより前方に押し出され、まつげを生え際から綺麗にカールさせることができる。
<請求項７の発明>
まつげ挟持プレートの瞼に当接される側に、滑り抑制部材が配設された場合は、この滑り抑制部材により瞼が上方に十分に押し上げられるため、まつげが前方に十分に押し出され、まつげをより綺麗にカールさせることができる。
<請求項８の発明>
滑り抑制部材が滑り防止用の突部を有する場合は、この突部により瞼が上方に確実に押し上げられるため、まつげが前方に十分に押し出されて、まつげをより綺麗にカールさせることができる。
<請求項９、１１の発明>
突部が、まつげ挟持プレートの長手方向に延びる形態で設けられた帯状体、又は長手方向に点設された突状体である場合は、突部が瞼全体に当たり、この帯状体又は突状体により瞼を上方に容易に、且つ確実に押し上げることができるため、まつげをより綺麗にカールさせることができる。
<請求項１０、１２の発明>
帯状体、又は突状体の突出方向は、滑り抑制部材の平坦面に対して斜めであり、且つまつげカーラーの使用状態における上向きであることが好ましい。仮に斜め方向であっても下向きであるときは、帯状体等が瞼に対して滑ってしまうことがある。突出方向が斜め方向であり、且つ上向きである場合は、この帯状体又は突状体によって瞼をより上方に容易に、且つ確実に押し上げることができるため、まつげが前方により押し出され、まつげを生え際から綺麗にカールさせることができる。
【発明を実施するための最良の形態】
【０００９】
以下、図１〜２５を参照しつつ、本発明の実施形態を説明する。
［１］まつげ挟持プレートに滑り防止用の突部を有する滑り抑制部材が配設されたまつげカーラー
本発明の第１の実施形態に係るまつげカーラー１００は、円弧状に湾曲した帯状のまつげ挟持プレート１１３と、まつげ挟持プレート１１３に対向して配設されたまつげ挟持用弾性体１２５と、まつげ挟持用弾性体１２５を保持する弾性体保持部１２４と、を備え、まつげ挟持プレート１１３の少なくとも瞼に当接される側に、滑り防止用の突部２４１を有する滑り抑制部材２が配設されていることを特徴とする。
【００１０】
このまつげカーラーにおいて、まつげ挟持プレート１１３とまつげ挟持用弾性体１２５とを当接させ、離間させるための構造は特に限定されない。はさみタイプ等の従来品が有する構造のいずれであってもよいが、市販されているまつげカーラーは、はさみタイプが多い。
即ち、まつげカーラー１００は、対向して設けられたまつげ挟持プレート１１３及びまつげ挟持用弾性体１２５と、先端部にまつげ挟持プレート１１３が固定され、且つまつげ挟持用弾性体１２５を上下動可能に案内支持する支持ロッド１１２と、まつげ挟持用弾性体１２５をまつげ挟持プレート１１３に対して上下方向に移動させることでまつげ挟持用弾性体１２５とまつげ挟持プレート１１３とを当接させ、離間させる操作手段（指掛レバーの端部１２２、弾性体移動用ロッド１２３及び弾性体保持部１２４等により構成される。）と、を備えるはさみタイプのまつげカーラー１００とすることができる。
【００１１】
このまつげカーラー１００は、以下のようにして用いることができる。
即ち、一方の指掛レバーの指掛部１１１に親指を挿通し、他方の指掛レバーの指掛部１２１に人差し指又は中指を挿通し、支持ロッド１１２の先端部に取着されたまつげ挟持プレート１１３と、まつげ挟持用弾性体１２５とが離間するように操作し（図１参照）、その後、まつげ挟持プレート１１３とまつげ挟持用弾性体１２５とを、まつげの生え際付近に位置させ、次いで、まつげ挟持プレート１１３とまつげ挟持用弾性体１２５とが当設されるように操作して（図２〜１０参照）まつげを挟持し、カールさせることができる。
【００１２】
また、まつげ挟持プレート１１３のまつげ挟持用弾性体１２５への押圧力を加減することにより、まつげのカールの程度を調整することができる。更に、まつげを挟持する位置を生え際から先端方向へと移動させることによって、まつげをより綺麗にカールさせることができる。また、まつげを挟持したまま、まつげカーラー１００を上方に円弧を描くようにして取り扱うことで、まつげをより滑らかにカールさせることができる。
【００１３】
まつげカーラー１００の、まつげ挟持用弾性体１２５と滑り抑制部材２とを除く他の部材は、通常、金属製である。この金属は特に限定されないが、鋼材にニッケルめっき等のめっきが施された金属材料が用いられることが多い。また、ステンレス鋼を用いてもよく、ステンレス鋼のときはマスカラ等による汚れの除去が容易であり、まつげカーラー１００を清浄に保つことができる。更に、弾性体保持部１２４及びまつげ挟持プレート１１３は樹脂製であってもよい。樹脂を用いる場合、この樹脂は特に限定されず、ポリオレフィン、ポリアミド、アクリロニトリル−ブタジエン−スチレン共重合樹脂等が挙げられる。弾性体保持部１２４及びまつげ挟持プレート１１３は、これらの樹脂を用いて、射出成形、圧縮成形等の各種の成形方法により作製することができる。
【００１４】
まつげ挟持用弾性体１２５は、まつげ挟持プレート１１３の端縁が当接され、押圧される部材であるため、柔軟であり、且つ繰り返される押圧に耐え、十分に弾性回復することが必要とされる。その材質は特に限定されないが、シリコーンゴム、ウレタンゴム等の優れた弾性と圧縮歪み回復性とを併せて有するゴム等を用いることが好ましい。このシリコーンゴム等からなるまつげ挟持用弾性体１２５はゴム本来の色調のままでもよいが、原料ゴム等に顔料などを配合し、成形して、例えば、黒色等に着色されたまつげ挟持用弾性体１２５とすることもできる。
【００１５】
滑り抑制部材２（図１１、１２参照）は、まつげ挟持プレート１１３の瞼に当接される側に配設される（図３、図４参照）。また、滑り抑制部材２は、まつげ挟持プレート１１３の瞼に当接される側と反対側の両側に配設されていてもよい（図１、２等参照）。この滑り抑制部材２により、まつげ挟持プレート１１３と瞼との間の滑りが抑制され、瞼が上方に十分に押し上げられる。滑り抑制部材２が、まつげ挟持プレート１１３の両側に配設された場合、瞼に当接される側と反対側は滑り抑制の作用はしないが、まつげ挟持プレート１１３に傷が付くことを防止することができる。更に、滑り抑制部材２のまつげ挟持プレート１１３からの剥離、脱落も抑えられる。
尚、図４のように、支持ロッド１１２の先端部１１２１が滑り抑制部材２によって覆われていない場合は、少なくとも先端部１１２１を樹脂等によって被覆することが好ましい（図５参照）。これにより、先端面が瞼に当たったときの不快感を軽減することができる。
【００１６】
まつげ挟持プレート１１３の両側に配設される滑り抑制部材２の形成方法は特に限定されない。例えば、射出成形、圧縮成形等の各種の成形方法により作製した成形体をまつげ挟持プレート１１３に被着させて配設することができる。この場合、まつげ挟持プレート１１３の表面及び／又は成形体の内面に接着剤を塗布し、滑り抑制部材２をまつげ挟持プレート１１３に接合すれば、滑り抑制部材２のまつげ挟持プレート１１３からの剥離、脱落を防止することができる。また、まつげ挟持プレート１１３の瞼に当接される側のみに配設される滑り抑制部材２の形成方法も特に限定されない。例えば、射出成形、圧縮成形等の各種の成形方法により作製した成形体を、まつげ挟持プレート１１３の瞼に当接される側に各種の接着剤によって接合して形成することができる。
【００１７】
滑り抑制部材２は滑り防止用の突部を有する（図１４〜２５参照）。この突部によってまつげ挟持プレート１１３と瞼との間の滑りがより抑制される。突部の形状は特に限定されないが、例えば、まつげ挟持プレート１１３の長手方向に延びる形態で設けられ、突出方向が滑り抑制部材２の平坦面に対して垂直方向である帯状体２４１とすることができる（図１４、１５参照）。この帯状体２４１により瞼を上方に容易に押し上げることができ、まつげをより綺麗にカールさせることができる。
【００１８】
滑り抑制部材２は、まつげ挟持プレート１１３と瞼との滑りを抑えることできればよく、その材質は特に限定されない。例えば、各種の樹脂、エラストマー及びゴム等を用いることができる。樹脂としては柔軟な樹脂が好ましく、エチレン−酢酸ビニル共重合樹脂、エチレン−塩化ビニル共重合樹脂、軟質塩化ビニル樹脂等が挙げられる。エラストマーとしては、スチレン系エラストマー、オレフィン系エラストマー、ウレタン系エラストマー等の熱可塑性エラストマーなどが挙げられる。ゴムとしては、天然ゴム、イソプレンゴム、ブダジエンゴム、エチレン−プロピレン共重合ゴム、エチレン−プロピレン−ジエン共重合ゴム、ウレタンゴム等が挙げられる。
【００１９】
滑り抑制部材２が有する滑り防止用の突部は他の態様とすることもできる。
例えば、まつげ挟持プレート１１３の長手方向に延びる形態で設けられ、その突出方向が滑り抑制部材２の平坦面に対して斜めであり、且つまつげカーラー１００の使用状態における上向きの帯状体２４２からなる突部とすることができる（図１６、１７参照）。この斜め、且つ上向きに突出している帯状体２４２からなる突部であれば、瞼を上方により容易に押し上げることができる。
【００２０】
突部は、まつげ挟持プレート１１３の長手方向に点設された突状体とすることもできる（図１８〜２１参照）。この突状体は、突出方向が滑り抑制部材２の平坦面に対して垂直方向の突状体２４３であってもよく（図１８、１９参照）、突出方向が滑り抑制部材２の平坦面に対して斜めであり、且つまつげカーラー１００の使用状態における上向きの突状体２４４であってもよい（図２０、２１参照）。これらのうちでは、斜め、且つ上向きに突出している突状体２４４が好ましく、この突状体２４４の場合は、瞼を上方により容易に押し上げることができる。
【００２１】
図１４〜２１では、突部は、滑り抑制部材２の下辺２５１寄りの位置（挟持用弾性体１２５に対向する側寄りの位置）に設けられているが、上辺２５２寄りの位置（挟持用弾性体１２５とは反対側寄りの位置）に設けられていてもよい（図２２〜２５参照）。これらの場合も、突部は、まつげ挟持プレート１１３の長手方向に延びる形態で設けられ、突出方向が滑り抑制部材２の平坦面に対して垂直方向である帯状体２４１とすることができ（図２２参照）、突出方向が滑り抑制部材２の平坦面に対して斜めであり、且つまつげカーラー１００の使用状態における上向きの帯状体２４２とすることができる（図２３参照）。更に、まつげ挟持プレート１１３の長手方向に点設され、突出方向が滑り抑制部材２の平坦面に対して垂直方向の突状体２４３とすることもでき（図２４参照）、突出方向が滑り抑制部材２の平坦面に対して斜めであり、且つまつげカーラー１００の使用状態における上向きの突状体２４４とすることもできる（図２５参照）。これらの突部の場合も、同様に瞼を上方により容易に押し上げることができる。
【００２２】
［２］まつげ挟持プレートの長手方向の中央部が上方側に膨らんでいるまつげカーラー
本発明の第２の実施形態に係るまつげカーラー２００は、円弧状に湾曲した帯状のまつげ挟持プレート１１３と、まつげ挟持プレート１１３に対向して配設されたまつげ挟持用弾性体１２５と、まつげ挟持用弾性体１２５を保持する弾性体保持部１２４と、を備え、まつげ挟持プレート１１３の長手方向の中央部は、長手方向の両端部より幅広であるとともに、中央部の上方側が膨らむ形態であり、中央部の幅（Ｗ１）と両端部の幅（Ｗ２）との比（Ｗ１／Ｗ２）が１．３〜２．０であることを特徴とする。
【００２３】
このまつげカーラー２００において、まつげ挟持プレート１１３とまつげ挟持用弾性体１２５とを当接させ、離間させるための構造は特に限定されず、その構造の詳細は第１の実施形態のまつげカーラー１００における記載をそのまま適用することができる。また、まつげカーラー２００における各々の部材の材質についても、まつげカーラー１００における記載をそのまま適用することができる。更に、まつげカーラー２００の使用方法も、まつげカーラー１００の場合と同様であり、まつげカーラー１００における記載をそのまま適用することができる。
【００２４】
まつげ挟持プレート１１３の長手方向の中央部は、長手方向の両端部より幅広であるとともに、この中央部は上方側に膨らむ形態となっている（図６、７参照）。中央部の幅（Ｗ１）と両端部の幅（Ｗ２）との比（Ｗ１／Ｗ２）は１．３〜２．０であり、１．３〜１．８、特に１．４〜１．８、更に１．４〜１．６とすることが好ましい。Ｗ１／Ｗ２が１．３以上であれば、まつげ挟持プレート１１３の中央部の幅広部１１３１によって瞼が上方に十分に押し上げられ、まつげがより前方に押し出される。これにより、まつげを生え際から綺麗にカールさせることができる。一方、Ｗ１／Ｗ２が２．０を越えるときは、突出部２２が眼窩の上縁部に突き当たることがあり、実用的ではない。
【００２５】
［３］上記［２］のまつげカーラーのまつげ挟持プレートに滑り抑制部材が配設されたまつげカーラー
本発明の第３の実施形態に係るまつげカーラー３００は、第２実施形態に係るまつげカーラー２００におけるまつげ挟持プレート１１３の少なくとも瞼に当接される側に、滑り抑制部材２が配設されてなるまつげカーラーである。
このまつげカーラー３００におけるまつげ挟持プレート１１３の長手方向の中央部が両端部より幅広とされているとともに、中央部の上方側が膨らむ形態であることについては第２の実施形態の記載をそのまま適用することができる。
【００２６】
このまつげカーラー３００において、まつげ挟持プレート１１３とまつげ挟持用弾性体１２５とを当接させ、離間させるための構造は特に限定されず、その構造の詳細は第１の実施形態のまつげカーラー１００における記載をそのまま適用することができる。また、まつげカーラー３００における各々の部材の材質についても、まつげカーラー１００における記載をそのまま適用することができる。更に、まつげカーラー３００の使用方法も、まつげカーラー１００の場合と同様であり、まつげカーラー１００における記載をそのまま適用することができる。
【００２７】
第３の実施形態に係るまつげカーラー３００は、第２の実施形態に係るまつげカーラー２００のまつげ挟持プレート１１３に、滑り抑制部材２が配設されたまつげカーラーである（図８、９参照）。この滑り抑制部材２は、まつげ挟持プレート１１３の瞼に当接される側のみに配設されていてもよく、まつげ挟持プレート１１３の瞼に当接される側と反対側の両側に配設されていてもよく、これについてはまつげカーラー１００における記載をそのまま適用することができる。また、このまつげカーラー３００における滑り抑制部材２は、滑り防止用の突部を有していなくてもよく（図８参照）、有していてもよいが、滑り防止用の突部を有していることが好ましい。
【００２８】
まつげ挟持プレート１１３の両側に配設される滑り抑制部材２の形成方法は特に限定されない。例えば、滑り防止用の突部を有していない滑り抑制部材２の場合は、まつげ挟持プレート１１３の滑り抑制部材２を形成させる部分を溶融した樹脂等に浸漬し、その後、溶融した樹脂等から取り出し、冷却、固化させて形成することができる。また、滑り防止用の突部を有している滑り抑制部材２及び有していない滑り抑制部材２のいずれの場合も、射出成形、圧縮成形等の各種の成形方法により作製した成形体をまつげ挟持プレート１１３に被着させて配設することができる。この場合、まつげ挟持プレート１１３の表面及び／又は成形体の内面に接着剤を塗布し、滑り抑制部材２をまつげ挟持プレート１１３に接合すれば、滑り抑制部材２のまつげ挟持プレート１１３からの剥離、脱落を防止することができる。更に、まつげ挟持プレート１１３の瞼に当接される側のみに配設される滑り抑制部材２の形成方法も特に限定されない。例えば、射出成形、圧縮成形等の各種の成形方法により作製した成形体を、まつげ挟持プレート１１３の瞼に当接される側に各種の接着剤によって接合して形成することができる。
【００２９】
第３の実施形態に係るまつげカーラー３００における滑り抑制部材２は、滑り防止用の突部を有していることが好ましい。この突部の形状は特に限定されないが、例えば、第１の実施形態のときと同様に帯状体又は突状体とすることができる。この滑り防止用の突部を有する帯状体及び突状体についは第１の実施形態における記載をそのまま適用することができる。
【００３０】
また、帯状体及び突状体は、突出方向が滑り抑制部材２の平坦面に対して垂直方向の帯状体２４１又は突状体２４３であってもよく、突出方向が、滑り抑制部材２の平坦面に対して斜めであり、且つまつげカーラー３００の使用状態における上向きの帯状体２４２又は突状体２４４であってもよい。これらのうちでは、斜め、且つ上向きに突出している帯状体２４２及び突状体２４４が好ましい。この突出方向が滑り抑制部材２の平坦面に対して垂直方向の帯状体２４１又は突状体２４３、及び突出方向が斜め、且つ上向きの帯状体２４２及び突状体２４４の各々については第１の実施形態における記載をそのまま適用することができる。
【００３１】
［４］上記［３］のまつげカーラーのまつげ挟持プレートの幅広部が滑り抑制部材から突出しているまつげカーラー
第４の実施形態に係るまつげカーラー４００は、第３の実施形態に係るまつげカーラー３００において、まつげ挟持プレート１１３の幅広であるとともに、上方側が膨らんだ形態である幅広部１１３１が滑り抑制部材２から突出しているまつげカーラーである（図１０参照）。このまつげカーラー４００における滑り抑制部材２は、滑り防止用の突部を有していなくてもよく、有していてもよいが、滑り防止用の突部を有していることが好ましい。
【００３２】
このまつげカーラー４００において、まつげ挟持プレート１１３とまつげ挟持用弾性体１２５とを当接させ、離間させるための構造は特に限定されず、その構造の詳細は第１の実施形態のまつげカーラー１００における記載をそのまま適用することができる。また、まつげカーラー４００における各々の部材の材質についても、まつげカーラー１００における記載をそのまま適用することができる。更に、まつげカーラー４００の使用方法も、まつげカーラー１００の場合と同様であり、まつげカーラー１００における記載をそのまま適用することができる。
【００３３】
まつげ挟持プレート１１３の両側に配設される滑り抑制部材２の形成方法は特に限定されない。例えば、射出成形、圧縮成形等の各種の成形方法により作製した成形体をまつげ挟持プレート１１３に被着させて配設することができる。また、このまつげ挟持プレート１１３の両側に配設される滑り抑制部材２は、上部にまつげ挟持プレート１１３の幅広部１１３１を突出させるためのスリット２３を有していることが好ましい（図１３参照）。更に、まつげ挟持プレート１１３の瞼に当接される側のみに配設される滑り抑制部材２の形成方法も特に限定されない。例えば、射出成形、圧縮成形等の各種の成形方法により作製した成形体を、まつげ挟持プレート１１３に各種の接着剤によって接合して形成することができる。
【００３４】
第４の実施形態に係るまつげカーラー４００における滑り抑制部材２は、滑り防止用の突部を有していることが好ましい。この突部の形状は特に限定されないが、例えば、第１の実施形態のときと同様に帯状体又は突状体とすることができる。この帯状体及び突状体については第１の実施形態における記載をそのまま適用することができる。
【００３５】
また、帯状体及び突状体は、突出方向が滑り抑制部材２の平坦面に対して垂直方向の帯状体２４１又は突状体２４３であってもよく、突出方向が、滑り抑制部材２の平坦面に対して斜めであり、且つまつげカーラー４００の使用状態における上向きの帯状体２４２又は突状体２４４であってもよい。これらのうちでは、斜め、且つ上向きに突出している帯状体２４２及び突状体２４４が好ましい。この突出方向が滑り抑制部材２の平坦面に対して垂直方向の帯状体２４１又は突状体２４３、及び突出方向が斜め、且つ上向きの帯状体２４２及び突状体２４４の各々については第１の実施形態における記載をそのまま適用することができる。
【００３６】
尚、参考例として以下の態様が挙げられる。
即ち、まつげ挟持プレート１１３に滑り抑制部材２が配設されておらず、支持ロッド１１２の先端部１１２１が樹脂等により被覆されたまつげカーラーとすることができる。これにより、先端面が瞼に当たったときの不快感を軽減することができる（図２６参照）。
【図面の簡単な説明】
【００３７】
【図１】まつげ挟持プレートに滑り抑制部材が被着されて配設された本発明のまつげカーラーの一例の斜視図である。
【図２】図１のまつげカーラーにおいてまつげ挟持プレートとまつげ挟持用弾性体とが当接された様子を示す斜視図である。
【図３】図１のまつげカーラーの側面図である。
【図４】まつげ挟持プレートに滑り抑制部材が接合されて配設された本発明のまつげカーラーの一例の斜視図である。
【図５】図４のまつげカーラーの支持ロッドの先端部が樹脂により被覆された態様を示す斜視図である。
【図６】まつげ挟持プレートの長手方向の中央部が幅広であるとともに、中央部の上方側が膨らんだ形態である他の本発明のまつげカーラーの一例の斜視図である。
【図７】図６のまつげカーラーの側面図である。
【図８】図６のまつげカーラーのまつげ挟持プレートに滑り抑制部材が配設された態様を示す斜視図である。
【図９】図８のまつげカーラーの側面図である。
【図１０】図６のまつげカーラーのまつげ挟持プレートに滑り抑制部材が配設され、且つまつげ挟持プレートの幅広部がまつげ挟持プレートから突出している態様を示す斜視図である。
【図１１】滑り抑制部材の正面図である。
【図１２】滑り抑制部材の平面図である。
【図１３】図１０のまつげ挟持プレートに用いられており、まつげ挟持プレートの幅広部を突出させるためのスリットが設けられた滑り抑制部材の平面図である。
【図１４】瞼に当接される側に帯状体からなる突部が水平方向に突出して設けられた滑り抑制部材の一例の正面図である。
【図１５】図１４のＡ−Ａ’断面であり、図１４の滑り抑制部材の突部が設けられている部分の断面図である。
【図１６】瞼に当接される側に帯状体からなる突部が斜め上方に突出して設けられた滑り抑制部材の一例の正面図である。
【図１７】図１６のＡ−Ａ’断面であり、図１６の滑り抑制部材の突部が設けられている部分の断面図である。
【図１８】瞼に当接される側に突状体が点設されてなる突部が水平方向に突出して設けられた滑り抑制部材の一例の正面図である。
【図１９】図１８のＡ−Ａ’断面であり、図１８の滑り抑制部材の突部が設けられている部分の断面図である。
【図２０】瞼に当接される側に突状体が点設されてなる突部が斜め上方に突出して設けられた滑り抑制部材の一例の正面図である。
【図２１】図２０のＡ−Ａ’断面であり、図２０の滑り抑制部材の突部が設けられている部分の断面図である。
【図２２】瞼に当接される側に帯状体からなる突部が水平方向に突出して設けられた滑り抑制部材の他の例の正面図である。
【図２３】瞼に当接される側に帯状体からなる突部が斜め上方に突出して設けられた滑り抑制部材の他の例の正面図である。
【図２４】瞼に当接される側に突状体が点設されてなる突部が水平方向に突出して設けられた滑り抑制部材の他の例の正面図である。
【図２５】瞼に当接される側に突状体が点設されてなる突部が斜め上方に突出して設けられた滑り抑制部材の他の例の正面図である。
【図２６】まつげ挟持プレートに滑り抑制部材が配設されておらず、支持ロッドの先端部が樹脂により被覆された態様を示す斜視図である。
【符号の説明】
【００３８】
１００、２００、３００、４００；まつげカーラー、１１１；指掛部、１１２；支持ロッド、１１２１；支持ロッドの先端部、１１３；まつげ挟持プレート、１１３１；幅広部、１２１；指掛部、１２２；指掛レバーの端部、１２３；弾性体移動用ロッド、１２４；弾性体保持部、１２５；まつげ挟持用弾性体、２；滑り抑制部材、２１；被装部、２２；突出部、２３；スリット、２４１、２４２；帯状体、２４３、２４４；突状体、２５１；滑り抑制部材の下辺、２５２；滑り抑制部材の上辺。
【図１】
2007300971.tif 000003
【図２】
2007300971.tif 000004
【図３】
2007300971.tif 000005
【図４】
2007300971.tif 000006
【図５】
2007300971.tif 000007
【図６】
2007300971.tif 000008
【図７】
2007300971.tif 000009
【図８】
2007300971.tif 000010
【図９】
2007300971.tif 000011
【図１０】
2007300971.tif 000012
【図１１】
2007300971.tif 000013
【図１２】
2007300971.tif 000014
【図１３】
2007300971.tif 000015
【図１４】
2007300971.tif 000016
【図１５】
2007300971.tif 000017
【図１６】
2007300971.tif 000018
【図１７】
2007300971.tif 000019
【図１８】
2007300971.tif 000020
【図１９】
2007300971.tif 000021
【図２０】
2007300971.tif 000022
【図２１】
2007300971.tif 000023
【図２２】
2007300971.tif 000024
【図２３】
2007300971.tif 000025
【図２４】
2007300971.tif 000026
【図２５】
2007300971.tif 000027
【図２６】
2007300971.tif 000028